【手続補正書】
【提出日】平成20年7月24日(2008.7.24)
【手続補正１】
【補正対象書類名】明細書
【補正対象項目名】発明の名称
【補正方法】変更
【補正の内容】
【発明の名称】情報配信システム及び情報配信方法、並びに情報配信装置  
【手続補正２】
【補正対象書類名】明細書
【補正対象項目名】特許請求の範囲
【補正方法】変更
【補正の内容】
【特許請求の範囲】
【請求項１】  第１のデータ及び第２のデータを配信する情報配信装置と、前記第１のデータ及び第２のデータを配信情報として受信する受信手段及び該受信手段により受信した配信情報を表示する表示手段を備えた情報表示装置とがネットワークを介して接続された情報配信システムにおいて、
前記情報表示装置は、前記配信情報の料金設定情報及び配信ジャンル情報を含むユーザデータの入力操作を行う操作手段と、
前記受信手段により受信した配信情報を記憶する配信情報記憶手段と、
前記配信情報の表示手段への表示及び前記受信手段による通信を制御する第１の制御手段とを有し、
前記情報配信装置は、配信情報を蓄積する第１の蓄積手段と、
前記操作手段により入力されたユーザデータを蓄積する第２の蓄積手段と、
前記第１及び第２の蓄積手段の蓄積内容に応じ、前記配信情報の価格情報が前記ユーザデータに含まれる料金設定情報を超過しないように、前記情報表示装置への配信情報を制御する第２の制御手段とを備えていることを特徴とする情報配信システム。
【請求項２】  前記第１のデータはコンテンツデータであり、前記第２のデータは広告データであることを特徴とする請求項１記載の情報配信システム。
【請求項３】  前記第１の蓄積手段には、前記配信情報に対して支払われる正又は負のいずれかの価格が書き込まれていることを特徴とする請求項１又は２記載の情報配信システム。
【請求項４】 前記第２のデータの情報量に応じて前記負の価格が変化することを特徴とする請求項３記載の情報配信システム。
【請求項５】  前記第２の制御手段は、ユーザに配信した配信情報の表示状況に基づいて課金を決定し前記第２の蓄積手段に蓄積されている課金情報を更新することを特徴とする請求項１乃至４のいずれか１項に記載の情報配信システム。
【請求項６】  前記第１の制御手段は、前記配信情報に付加された表示時間情報に基づいて、前記表示手段への表示期間、表示時間、表示頻度を制御すると共に、前記表示時間情報に基づく表示期間及び表示時間を超過した配信情報を前記配信情報記憶手段から削除することを特徴とする請求項１乃至５のいずれか１項に記載の情報配信システム。
【請求項７】  前記情報表示装置は、ユーザの存在を検知する検知手段と、該検知手段の検知結果を表示状態情報として前記情報配信装置に送信する送信手段とを備えていることを特徴とする請求項１乃至６のいずれか１項に記載の情報配信システム。
【請求項８】  前記情報表示装置は、ユーザの存在を検知する検知手段と、ユーザの操作手段による指示に基づき、又は、前記検知手段によりユーザの存在を検知したとき、或いは所定間隔毎に前記情報配信装置に配信要求を行う配信要求手段とを備えていることを特徴とする請求項１乃至７のいずれか１項に記載の情報配信システム。
【請求項９】  第１のデータ及び第２のデータを配信する情報配信装置と、前記第１のデータ及び第２のデータを配信情報として受信する受信手段及び該受信手段により受信した配信情報を表示する表示手段を備えた情報表示装置とがネットワークを介して接続された情報配信方法において、
前記情報表示装置は、前記配信情報の料金設定情報及び配信ジャンル情報を含むユーザデータの入力操作を行う操作ステップと、前記受信手段により受信した配信情報を記憶する配信情報記憶ステップと、前記配信情報の表示手段への表示及び前記受信手段により通信を制御する第１の制御ステップとを含み、
前記情報配信装置は、配信情報を第１の蓄積手段に蓄積する第１の蓄積ステップと、前記操作ステップで入力されたユーザデータを第２の蓄積手段に蓄積する第２の蓄積ステップと、前記第１及び第２の蓄積手段の蓄積内容に応じ、前記配信情報の価格情報が前記ユーザデータに含まれる料金設定情報を超過しないように、前記情報表示装置への配信情報を制御する第２の制御ステップとを含んでいることを特徴とする情報配信方法。
【請求項１０】 情報表示装置とネットワークを介して接続され、該情報表示装置に第１のデータ及び第２のデータを配信情報として配信する情報配信装置において、
配信情報を蓄積する第１の蓄積手段と、
前記情報表示装置により入力された前記配信情報の料金設定情報及び配信ジャンル情報を含むユーザデータを蓄積する第２の蓄積手段と、
前記第１及び第２の蓄積手段の蓄積内容に応じ、前記配信情報の価格情報が前記ユーザデータに含まれる料金設定情報を超過しないように、前記情報表示装置への配信情報を制御する制御手段とを備えていることを特徴とする情報配信装置。
【手続補正３】
【補正対象書類名】明細書
【補正対象項目名】０００１
【補正方法】変更
【補正の内容】
【０００１】
【発明の属する技術分野】
本発明は情報配信システム及び情報配信方法、並びに情報配信装置に関する。
【手続補正４】
【補正対象書類名】明細書
【補正対象項目名】００１０
【補正方法】変更
【補正の内容】
【００１０】
本発明はこのような問題点に鑑みなされたものであり、サービスを受けるユーザに不快感を与えることなく、サービス提供者は広告主から広告収入を得ることができ、しかもシステムの構築及び運用を安価に行うことのできる情報配信システム及び情報配信方法、並びに情報配信装置を提供することを目的とする。
【手続補正５】
【補正対象書類名】明細書
【補正対象項目名】００１１
【補正方法】変更
【補正の内容】
【００１１】
【課題を解決するための手段】
上記目的を達成するため本発明に係る情報配信システムは、第１のデータ及び第２のデータを配信する情報配信装置と、前記第１のデータ及び第２のデータを配信情報として受信する受信手段及び該受信手段により受信した配信情報を表示する表示手段を備えた情報表示装置とがネットワークを介して接続された情報配信システムにおいて、前記情報表示装置は、前記配信情報の料金設定情報及び配信ジャンル情報を含むユーザデータの入力操作を行う操作手段と、前記受信手段により受信した配信情報を記憶する配信情報記憶手段と、前記配信情報の表示手段への表示及び前記受信手段による通信を制御する第１の制御手段とを有し、前記情報配信装置は、配信情報を蓄積する第１の蓄積手段と、前記操作手段により入力されたユーザデータを蓄積する第２の蓄積手段と、前記第１及び第２の蓄積手段の蓄積内容に応じ、前記配信情報の価格情報が前記ユーザデータに含まれる料金設定情報を超過しないように、前記情報表示装置への配信情報を制御する第２の制御手段とを備えていることを特徴としている。
【手続補正６】
【補正対象書類名】明細書
【補正対象項目名】００１２
【補正方法】変更
【補正の内容】
【００１２】
また、本発明に係る情報配信方法は、第１のデータ及び第２のデータを配信する情報配信装置と、前記第１のデータ及び第２のデータを配信情報として受信する受信手段及び該受信手段により受信した配信情報を表示する表示手段を備えた情報表示装置とがネットワークを介して接続された情報配信方法において、前記情報表示装置は、前記配信情報の料金設定情報及び配信ジャンル情報を含むユーザデータの入力操作を行う操作ステップと、前記受信手段により受信した配信情報を記憶する配信情報記憶ステップと、前記配信情報の表示手段への表示及び前記受信手段により通信を制御する第１の制御ステップとを含み、前記情報配信装置は、配信情報を第１の蓄積手段に蓄積する第１の蓄積ステップと、前記操作ステップで入力されたユーザデータを第２の蓄積手段に蓄積する第２の蓄積ステップと、前記第１及び第２の蓄積手段の蓄積内容に応じ、前記配信情報の価格情報が前記ユーザデータに含まれる料金設定情報を超過しないように、前記情報表示装置への配信情報を制御する第２の制御ステップとを含んでいることを特徴としている。
【手続補正７】
【補正対象書類名】明細書
【補正対象項目名】００１３
【補正方法】変更
【補正の内容】
【００１３】
また、本発明に係る情報配信装置は、情報表示装置とネットワークを介して接続され、該情報表示装置に第１のデータ及び第２のデータを配信情報として配信する情報配信装置において、配信情報を蓄積する第１の蓄積手段と、前記情報表示装置により入力された前記配信情報の料金設定情報及び配信ジャンル情報を含むユーザデータを蓄積する第２の蓄積手段と、前記第１及び第２の蓄積手段の蓄積内容に応じ、前記配信情報の価格情報が前記ユーザデータに含まれる料金設定情報を超過しないように、前記情報表示装置への配信情報を制御する制御手段とを備えていることを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００２１
【補正方法】変更
【補正の内容】
【００２１】
制御部１２は、具体的には、表示部９へのコンテンツデータ及び広告データの表示及び表示方法を制御すると共に、通信処理部１１による通信を制御し、さらにコンテンツ記憶部１０の記憶するコンテンツデータ及び広告データに付加された表示時間情報に基づいて表示部９への表示期限、表示時間、表示頻度を制御すると共に、表示時間情報に基づく表示期限及び表示時間を超過したコンテンツデータ及び広告データをコンテンツ記憶部１０から削除する。また、制御部１２は、表示部９の表示時間・状態及び閲覧時間・状態を算出・判断し、表示状態情報としてサーバ装置２への送信を通信処理部６０に指示する。
【手続補正１０】
【補正対象書類名】明細書
【補正対象項目名】００５９
【補正方法】変更
【補正の内容】
【００５９】
本第３の実施の形態では、インターネットフォトフレーム１ａ〜１ｄからサーバ装置２に送信される配信要求は制御部１２によって制御される。すなわち、制御部１２は、操作部８により配信を希望するコンテンツデータ及び広告データのアドレス又はジャンル情報をアドレス・ジャンル情報部３５及び配信希望時刻３６を書き込むことにより配信要求を生成し、サーバ装置２に送信する。制御部１２は、例えば、センサ部７によるユーザの存在の判断結果によりユーザが周囲にいることを検知し、これにより配信を希望するコンテンツ及び広告データのジャンル情報としてユーザの嗜好に適したジャンル情報を設定し、現在の時刻を配信希望時刻として設定して配信要求を生成し、サーバ装置２に送信される。また制御部１２は、所定の時間間隔ごとに配信を希望するコンテンツ及び広告データのジャンル情報としてユーザの嗜好に適したジャンル情報を設定し現在の時刻を配信希望時刻として設定して配信要求を生成し、サーバ装置２に送信する。